(57)【要約】【課題】戸パネルを開放不能にロック固定して、戸パネルが不用意に開放されるのを防止し、しかも必要時にはランナーのロック状態を解除して戸パネルが簡単に開放操作できるランナーストッパーを提供する。【解決手段】ランナー６の係合体１６に係脱するロック体２２と、ロック体２２を係合姿勢に押圧付勢するばね２３と、これらの部材２２・２３を収容するケース２１とからなる。ロック体２２は上下にスライドして係合体１６と機械的に係合し、ばね２３で係合状態が維持されているので、ロック体２２を操作して係合体１６との係合を解除しない限りは、ランナー６の移動を規制できる。解除片３４を操作すると、ロック体２２と係合体１６との係合が解除でき、ランナー６を開放できるので、戸パネル３を必要に応じて簡単に開放操作し得る。【選択図】　　　　図１
2004011111.tif 000002
【特許請求の範囲】
【請求項１】
ガイドレール１に装着されて、ランナー６を移行不能に係合捕捉するランナーストッパーであって、
ガイドレール１に固定されるケース２１と、ケース２１で往復動自在に支持されるロック体２２と、ロック体２２を移動付勢するばね２３を備えており、
ロック体２２は、ランナー６の係合体１６に係合する係合姿勢と、係合体１６ら分離する解除姿勢とに変位可能に支持されていて、ばね２３で係合姿勢に付勢されており、
ロック体２２は、これをばね２３の付勢力に抗して係合解除操作する解除片３４を備えていて、この解除片３４が、ガイドレール１の開口面に臨んでいるランナーストッパー。
【請求項２】
ロック体２２には、ランナー６の係合体１６に係脱するロック壁３２と、解除片３４とが一体に設けられており、
ロック壁３２が、係合体１７の移動軌跡に臨むよう配置してある請求項１記載のランナーストッパー。
【請求項３】
ケース２１に、ガイドレール１の内面に係合装着されるガイド部２４が設けられており、
ガイド部２４に設けたガイド室２６内に、ロック体２２とばね２３とを収容してユニット部品化してある請求項１または２記載のランナーストッパー。
【請求項４】
ランナー６の走行ブロック１３の側端に係合体１６が突設されており、
係合体１６の突端上面に、ロック壁３２を押し上げ操作する案内面１８と、ロック壁３２で係合捕捉される爪部１７とが形成されている請求項２記載のランナーストッパー。
【発明の詳細な説明】
【０００１】
【発明の属する技術分野】
本発明は、折戸や引戸のガイドレールに装着されて、戸パネルを開放不能に捕捉固定するランナーストッパーに関する
【０００２】
【従来の技術】
この種のランナーストッパーには、二又状の一対の弾性アームでランナー軸を抱持状に係合捕捉する形態と、片持ち支持した弾性アームでランナーのボディやローラーを係合捕捉する形態とがある。前者形態のランナーストッパーは、実開平５−７１３８６号公報、実公平８−６９９８号公報、特開平１０−３３９０６４号公報、特開平１１−２２２９１号公報などに公知である。後者形態のランナーストッパーは、実用新案登録第２６０７３６６号公報、実公平８−７００８号公報、特開平９−１７７４２２号公報などに公知である。
【０００３】
【発明が解決しようとする課題】
上記のランナーストッパーは、一対の弾性アーム、あるいは片持ち支持した１個の弾性アームの弾性力のみで、ランナーの移動を阻止する構造になっている。そのため、弾性アームの捕捉力を越える外力が戸パネルに作用すると、ランナーが弾性アームから抜け出て、戸パネルが開放されてしまう不利がある。長期使用時には弾性アームの捕捉力が漸減するため、例えば折戸を開閉する際に、その意図がないにもかかわらず、ランナーがランナーストッパーから分離してしまうこともある。
【０００４】
この点、例えば実公昭６２−１０３８４号公報のように、ランナーの移動を阻止するためのストッパー金具をガイドレールにビスで挟持固定してあると、先のように戸パネルが不用意に開放されることはない。しかし、物の出し入れや清掃などのためにストッパー金具の側を開放したい場合には、ビスを緩めてストッパー金具をガイドレールから取り外し、再びストッパー金具を取り付ける必要があり、ストッパー金具の取り付け、取り外し作業に多くの手間が掛り煩わしい。
【０００５】
本発明の目的は、戸パネルを開放不能にロック固定して戸パネルが不用意に開放されるのを確実に防止でき、しかも必要時にはランナーのロック状態を簡単に解除して、戸パネルを簡単に開放操作できるランナーストッパーを提供することにある。
【０００６】
【課題を解決するための手段】
本発明は、ガイドレール１に装着されて、ランナー６を移行不能に係合捕捉するランナーストッパーを対象とする。ランナーストッパーは、図６に示すごとく、ガイドレール１に固定されるケース２１と、ケース２１に往復動自在に支持されるロック体２２と、ロック体２２を移動付勢するばね２３とを備えている。ロック体２２は、ランナー６の係合体１６に係合する図１の係合姿勢と、係合体１６から分離する解除姿勢とに変位可能に支持されていて、ばね２３で係合姿勢に押圧付勢されている。ロック体２２には、これをばね２３の付勢力に抗して係合解除操作するための解除片３４を備えていて、この解除片３４が、ガイドレール１の開口面に臨んでいる。
【０００７】
具体的には、ロック体２２に、ランナー６の係合体１６に係脱するロック壁３２と、解除片３４とが一体に設けられており、ロック壁３２が係合体１６の移動軌跡に臨むよう配置してある。
【０００８】
前記ケース２１には、ガイドレール１の内面に係合装着されるガイド部２４が設けられており、このガイド部２４に設けたガイド室２６内に、ロック体２２とばね２３とを収容してユニット部品化することができる。
【０００９】
ランナー６の走行ブロック１３の側端には、図３に示すごとく係合体１６が突設されており、この係合体１６の突端上面に、ロック壁３２を押し上げ操作する案内面１８と、ロック壁３２で係合捕捉される爪部１７とが形成されたものにすることができる。
【００１０】
【発明の作用効果】
本発明では、ランナー６の係合体１６に係脱するロック体２２と、ロック体２２を係合付勢するばね２３と、これら両部材２２・２３を収容するケース２１などでランナーストッパーを構成し、ロック体２２が係合体１６と機械的に係合することでランナー６の移動を阻止し、しかもロック体２２と係合体１６との係合状態をばね２３で維持し続ける。従って本発明によれば、戸パネル３を無理やり開放操作しようとしても、ランナー６の移動を確実に規制して、戸パネル３を開放不能にロック固定できる。長期使用時にも、ロック体２２による係合体１６の係合捕捉作用は確実に発揮し続けるので、例えば折戸を開閉するような場合に、ランナーストッパーで捕捉した戸パネル３が不用意に開放するのを防止できる。開閉移動しやすい戸パネル３が外部振動等で徐々に開放移動することもない。
【００１１】
また、解除片３４を解除操作するだけの簡単な操作でロック体２２と係合体１６との係合状態を解除し、ランナー６を開放できるので、ランナー６を強固にロック固定できるランナーストッパーであるにもかかわらず、戸パネル３を必要に応じて簡単に開放操作できる。
【００１２】
ランナー６の係合体１６に係脱するロック壁３２と、解除片３４とが、ロック体２２と一体に設けてあると、ランナーストッパーの構成部品点数を最小限化して、その製造に要するコストを節約できる。ロック壁３２が係合体１６の移動軌跡に臨むよう配置してあると、戸パネル３を閉じ操作するだけでランナー６をロック体２２で自動的に係合捕捉して戸パネル３を拘束できるので、施工時の手間を軽減できるし、ランナーストッパーから分離したランナー６の再ロックも簡単に行える。
【００１３】
ランナーストッパーが、ケース２１のガイド部２４に設けたガイド室２６内に、ロック体２２とばね２３とを収容してユニット部品化してあると、工場や施工現場におけるランナーストッパーの取り扱いが簡便になり、ケース２１をガイドレール１に嵌め込み装着するだけの手間でランナーストッパーを簡単に組み立てることができる。
【００１４】
走行ブロック１３の側端に係合体１６を突設し、その突端上面にロック壁３２を押し上げ操作する案内面１８と、ロック壁３２で係合捕捉される爪部１７とを設けてあると、係合体１６がロック壁３２をくぐり抜ける場合に、ロック壁３２が案内面１８で徐々に押し上げ操作されたのち爪部１７に落ち込み係合するので、係合体１６とロック体２２との係合が円滑に行える。ロック体２２が押し上げられるときの抵抗力でランナー６を制動できるので、ランナー６がロック体２２に衝突する勢いでぶつかることがあっても、両者６・２２の破損をよく防止できる。
【００１５】
【実施例】
図面は本発明に係るランナーストッパーをフリー折戸に適用した実施例を示す。図２においてフリー折戸は、２組のパネル対で構成してあり、開口枠の上下に設けたガイドレール１・２で屈折自在に開閉案内される。
【００１６】
上側のガイドレール１は、図３に示すごとく断面Ｃ字状のアルミニウム条材からなり、下面前後のレール壁１ａ・１ａの間が下向きに開口している。各パネル対は、２個の戸パネル３・３の隣接縁どうしをヒンジ４で連結してあり、一方の戸パネル３の屈折縁の近傍に杷手５を有する。各パネル対の両側の上面および下面には、それぞれガイドレール１・２で移行案内されるランナー６と振止めローラー７とが装着してある。
【００１７】
図１において上側のランナー６は、ガイドレール１で左右方向に走行案内されるランナー本体１０と、戸パネル３の上隅に埋設固定されるランナー台１１と、ランナー本体１０とランナー台１１とを上下に連結するランナー軸１２と有する。ランナー本体１０は、プラスチック成形品からなる左右横長の走行ブロック１３と、走行ブロック１３の前後に左右一対ずつ配置した４個のローラー１４と、これらのローラー１４を遊転自在に支持するローラー軸１５とを含む。
【００１８】
走行ブロック１３の閉じ端側の側面下部には、後述するランナーストッパーで係合捕捉される係合体１６が横向きに突設してある。係合体１６の突端上面には爪部１７と、ランナーストッパーのロック体２２を押し上げ操作する斜めの案内面１８とが形成してある。走行ブロック１３の左右中央部に、該ブロック１３を上下方向に貫通する状態でランナー軸１２が組み付けられており、この組付け状態において走行ブロック１３とランナー軸１２とは自由に相対回転できる。
【００１９】
戸パネル３を閉じた状態において、ランナー６を移動不能にロック固定するために、ガイドレール１の側端にランナーストッパーを設けられている。ランナーストッパーは、図３に示すごとくケース２１と、ケース２１で上下スライド可能に案内支持されるロック体２２と、ロック体２２を係合姿勢に向かって押し下げ付勢する圧縮コイル形のばね２３とからなる。
【００２０】
ケース２１は、ガイドレール１の内部に外側方から嵌め込まれるガイド部２４と、ガイドレール１の側端面に受け止め支持されるフランジ壁２５とを一体に形成したプラスチック成形品からなり、ガイド部２４にロック体２２およびばね２３を収容するためのガイド室２６が形成してある。図３および図４においてガイド部２４は、Ｈ字状に形成してあって、ガイドレール１の内面に密着係合できる。ガイド室２６の内面前後には、ロック体２２を上下スライド自在に案内する溝２７が対向状に形成されており、ガイド室２６に臨むフランジ壁２５の内面に、ロック体２２の下降スライド限界を規定する抜止爪２８が形成してある。
【００２１】
ロック体２２は、前後一対の脚片３０と、これら脚片３０の上部を繋ぐばね受壁３１とを一体に形成した門形のプラスチック成形品からなり、両脚片３０で挟まれたばね受壁３１の下面に、先の係合体１６と係合するロック壁３２が下向きに突出形成されている。各脚片３０の前後にはケース２１側の前記溝２７に係合して上下に案内されるスライド突起３３を設け、両脚片３０の下端に解除片３４が前後逆向きに張り出し形成されている。ロック体２２はランナー６の係合体１６に係合する図１の係合姿勢と、係合体１６から分離する図６の解除姿勢とに変位でき、常に係合姿勢へ向かってばね２３で押し下げ付勢されている。
【００２２】
ランナーストッパーは、図１に示すように、ガイド部２４をガイドレール１の左右方向の端部内面に係合装着して使用する。この装着状態において、脚片３０の下部および解除片３４は、図４に示すごとくそれぞれガイドレール１のレール壁１ａより下方に突出しており、ロック体２２は前記ばね２３で押し下げられて抜止爪２８で受け止められている。
【００２３】
いま、パネル対を閉じ操作すると、閉じ端側のランナー６がレール端へ向かって移行し、その走行ブロック１３の側端に設けた係合体１６がロック体２２のロック壁３２の下部に接当する。さらに戸パネル３を閉じ操作すると、係合体１６の案内面１８がロック壁３２の下面にもぐりこみ、ロック壁３２をばね２３の付勢力に抗して押し上げ操作する。案内面１８がロック壁３２をくぐり抜けてしまうと、ロック体２２が再び下降移動し、そのロック壁３２が爪部１７と係合する。つまり、走行ブロック１３がロック体２２に係合捕捉される。
【００２４】
このように、ランナー６をランナーストッパーで係合捕捉した状態では、戸パネル３は図５に想像線で示すようにランナー軸１２を中心にして揺動できるだけであり、ランナーストッパーから遠ざかる向きへ開放操作することはできない。なお、図示していないが、振止めローラー７をランナー６と同様にストッパーで捕捉固定しておくと、戸パネル３の揺動開閉動作を安定化できる。
【００２５】
例えば、清掃のために戸パネル３を開放する場合には、図６に示すようにガイドレール１と戸パネル３との間の空間に、ドライバーや指先を差し込んで解除片３４を押し上げ操作し、ロック壁３２と係合体１６との係合を開放した状態のままで、戸パネル３をランナーストッパーから遠ざかる向きへ移動操作する。清掃終了後に戸パネル３を閉じ操作すると、係合体１６がロック壁３２をくぐり抜けてロック体２２と再び係合し、ランナー６をランナーストッパーで開放移動不能に固定できる。
【００２６】
図７は本発明に係るランナーストッパーの別実施例を示す。そこでは、ケース２１のガイドレール１に対する固定位置を変更できるようにして、例えば、左右のパネル対を全閉操作した状態において、中央の戸パネル３・３の間に隙間が生じるのを解消できるようにした。詳しくは、先の実施例におけるフランジ壁２５を省略して、ケース２１をガイドレール１の内面に沿って移動できるようにする。さらに、ケース２１の下端に、レール壁１ａを前後に跨ぐ締結座３６を横向きに突設し、この締結座３６とレール壁１ａの上面に掛止した板ナット３７とを、締結座３６の下面側からねじ込んだビス３８で締結して、ケース２１の固定位置を調整変更できるようにした。
【００２７】
上記の実施例では、ロック体２２をばね２３で押し下げ付勢したが、逆にロック体２２をばね２３で押し上げ付勢して係合体１６に係合させる形式にしてもよい。その場合の係合体１６は、走行ブロック１３の側端上部に爪部１７が下向きになる状態で設ける。
【００２８】
ケース２１にロック体２２を前後スライド可能に支持して、係合姿勢と解除姿勢とに変位できるようにし、ばね２３で係合姿勢に付勢することができる。その場合の係合体１６の爪部１７は、前後いずれかに指向させておく。ロック体２２は往復スライドする以外に、往復揺動して係合姿勢と解除姿勢とに変位できるように構成できる。解除片３４はロック体２２と別部品で形成してもよい。本発明のランナーストッパーは、引戸にも適用できる。
【図面の簡単な説明】
【図１】要部の縦断正面図
【図２】全体の斜視図
【図３】ランナーストッパーの分解斜視図
【図４】図１におけるＡ−Ａ線断面図
【図５】図１におけるＢ−Ｂ線断面図
【図６】ロック体をロック解除操作した状態での縦断正面図
【図７】別実施例を示す縦断正面図
【符号の説明】
１　ガイドレール
６　ランナー
１３　走行ブロック
１６　係合体
１７　爪部
１８　案内面
２１　ケース
２２　ロック体
２３　ばね
２４　ガイド部
２６　ガイド室
３２　ロック壁
３４　解除片
【図１】
2004011111.tif 000003
【図２】
2004011111.tif 000004
【図３】
2004011111.tif 000005
【図４】
2004011111.tif 000006
【図５】
2004011111.tif 000007
【図６】
2004011111.tif 000008
【図７】
2004011111.tif 000009